(57)【要約】  本発明は、可撓性フィルム材料（１３、１３０、１６、１９）によって少なくとも部分的に形成される廃棄処理可能な飲料缶（１０）であって、当該缶（１０）は、上面（１６）を有し、且つ当該上面に形成されるプルタブオープナー（１１）を備える注出機構（１０１）を備える、廃棄処理可能な飲料缶に関する。本発明によると、飲料缶は、フィルム材料によって形成されることが有利であり得る。缶は、固体壁から作製される従来の缶と同じ方法で使用するのに適しており、同時に、非常に費用効果的な方法で製造されることが有利であり得る。さらに、缶は、非常に環境に優しい方法で廃棄処理することができる。
2009520647.tif 000002
【特許請求の範囲】
【請求項１】
可撓性フィルム材料（１３、１３０）によって少なくとも部分的に形成される廃棄処理可能な飲料缶（１０、２０、３０、４０、５０）であって、
該缶（１０、２０、３０、４０、５０）は、上面（１６、２６、３６、４６、５６）を有し、且つ該上面に形成されるプルタブオープナー（１１、２１、３１、４１、５１）を備える注出機構（１０１）を備える、廃棄処理可能な飲料缶。
【請求項２】
前記缶構造体は、上端（１６）、底面（１９）、及び容器壁（１３、１３０）によって画定される容器容積部（１３１）を有し、前記容器壁は可撓性フィルム材料によって形成される、請求項１に記載の廃棄処理可能な飲料缶。
【請求項３】
前記缶構造体は、上端（１６）、底面（１９）、及び容器壁（１３、１３０）によって画定される容器容積部（１３１）を有し、前記上端（１６）は可撓性フィルム材料によって形成される、請求項１又は２に記載の廃棄処理可能な飲料缶。
【請求項４】
前記缶構造体は、上端（１６）、底面（１９）、及び容器壁（１３、１３０）によって画定される容器容積部（１３１）を有し、前記底面（１９）は可撓性フィルム材料によって形成される、請求項１〜３のいずれか１項に記載の廃棄処理可能な飲料缶。
【請求項５】
前記缶構造体は、上端（１６）、底面（１９）、及び容器壁（１３、１３０）によって画定される容器容積部（１３１）を有し、前記容器壁（１３、２３０）、前記上端（１６）、及び前記底面（１９）は可撓性フィルム材料によって形成される、請求項１〜４のいずれか１項に記載の廃棄処理可能な飲料缶。
【請求項６】
前記容器壁（１３、１３０）は、前記上端（１６）及び前記底面（１９）間の方向に共に接合される可撓性フィルムシートから成る、請求項１〜５のいずれか１項に記載の廃棄処理可能な飲料缶。
【請求項７】
前記容器壁（１３、１３０）は、前記上端（１６）及び前記底面（１９）間の方向に共に接合される少なくとも２枚の可撓性フィルムシートから成る、請求項１〜６のいずれか１項に記載の廃棄処理可能な飲料缶。
【請求項８】
前記缶は、実質的に平坦又は折り畳まれた構造体として接合される、請求項１〜７のいずれか１項に記載の廃棄処理可能な飲料缶。
【請求項９】
前記折り畳まれ接合された構造体は、前記缶（１０、２０、３０、４０、５０）の接合後に膨張する、請求項１〜８のいずれか１項に記載の廃棄処理可能な飲料缶。
【請求項１０】
前記缶（１０、２０、３０、４０、５０）は、液体の充填前又は液体の充填と同時に膨張する、請求項１〜９のいずれか１項に記載の廃棄処理可能な飲料缶。
【請求項１１】
前記接合は接着によって行われる、請求項１〜１０のいずれか１項に記載の廃棄処理可能な飲料缶。
【請求項１２】
前記接合は熱溶着によって行われる、請求項１〜１１のいずれか１項に記載の廃棄処理可能な飲料缶。
【請求項１３】
前記接合部は少なくとも２ｍｍである、請求項１〜１２のいずれか１項に記載の廃棄処理可能な飲料缶。
【請求項１４】
前記接合部は約３ｍｍ〜３０ｍｍの範囲内である、請求項１〜１３のいずれか１項に記載の廃棄処理可能な飲料缶。
【請求項１５】
前記接合部は約４ｍｍ〜２５ｍｍの範囲内である、請求項１〜１４のいずれか１項に記載の廃棄処理可能な飲料缶。
【請求項１６】
前記缶の直径は約４０ｍｍ〜約１２０ｍｍであり、高さは約９０ｍｍ〜約１５０ｍｍである、請求項１〜１５のいずれか１項に記載の廃棄処理可能な飲料缶。
【請求項１７】
前記上面（１６、２６、３６、４６、５６）は約１０ｃｍ未満である最小寸法を有する、請求項１〜１６のいずれか１項に記載の廃棄処理可能な飲料缶。
【請求項１８】
前記上面は約７ｃｍ未満の最小寸法を有する、請求項１〜１７のいずれか１項に記載の廃棄処理可能な飲料缶。
【請求項１９】
前記上面は実質的に円筒形である、請求項１〜１８のいずれか１項に記載の廃棄処理可能な飲料缶。
【請求項２０】
前記上面は別個のフィルム／シート材料から形成される、請求項１〜１９のいずれか１項に記載の廃棄処理可能な飲料缶。
【請求項２１】
前記上面は、前記缶を画定するフィルム材料の折曲部から形成される、請求項１〜２０のいずれか１項に記載の廃棄処理可能な飲料缶。
【請求項２２】
前記上面（１６、２６、３６、４６、５６）は、前記缶が液体で充填されると概ね円形面となる、請求項１〜２１のいずれか１項に記載の廃棄処理可能な飲料缶。
【請求項２３】
前記上面（１６、２６、３６、４６、５６）は、前記缶が液体で充填されると概ね矩形面となる、請求項１〜２２のいずれか１項に記載の廃棄処理可能な飲料缶。
【請求項２４】
前記上面（１６、２６、３６、４６、５６）は、前記缶が液体で充填されると概ね丸い面となる、請求項１〜２３のいずれか１項に記載の廃棄処理可能な飲料缶。
【請求項２５】
前記缶と前記上面との接続面は、少なくとも１つの接合部によって形成される、請求項１〜２４のいずれか１項に記載の廃棄処理可能な飲料缶。
【請求項２６】
前記上部シールは、前記注出機構に対して、少なくとも部分的に取り除くことが可能な追加のシールによって少なくとも部分的に覆われる、請求項１〜２５のいずれか１項に記載の廃棄処理可能な飲料缶。
【請求項２７】
前記缶は底面（１９、２９、３９、４９、５９）を有する、請求項１〜２６のいずれか１項に記載の廃棄処理可能な飲料缶。
【請求項２８】
前記缶は少なくとも１つの底部折り目（１８）を有する、請求項１〜２７のいずれか１項に記載の廃棄処理可能な飲料缶。
【請求項２９】
前記缶は、自立機構を備える底端部を有する、請求項１〜２８のいずれか１項に記載の廃棄処理可能な飲料缶。
【請求項３０】
前記底面（１９）は、前記缶が液体で充填されると概ね円形面となる、請求項１〜２９のいずれか１項に記載の廃棄処理可能な飲料缶。
【請求項３１】
前記底面（１９）は、前記缶が液体で充填されると概ね丸い面となる、請求項１〜３０のいずれか１項に記載の廃棄処理可能な飲料缶。
【請求項３２】
前記プルタブオープナー（１１、２１、３１、４１、５１）はフィルム材料から形成される、請求項１〜３１のいずれか１項に記載の廃棄処理可能な飲料缶。
【請求項３３】
前記プルタブオープナー（１１、２１、３１、４１、５１）は多層フィルム材料から形成される、請求項１〜３２のいずれか１項に記載の廃棄処理可能な飲料缶。
【請求項３４】
前記プルタブオープナー（１１、２１、３１、４１、５１）は強化フィルム材料から成る、請求項１〜３３のいずれか１項に記載の廃棄処理可能な飲料缶。
【請求項３５】
前記プルタブオープナー（１１、２１、３１、４１、５１）の少なくとも一部は、前記上面（１６、２６、３６、４６、５６）の一部によって構成される、請求項１〜３４のいずれか１項に記載の廃棄処理可能な飲料缶。
【請求項３６】
前記プルタブオープナー（１１、２１、３１、４１、５１）の少なくとも一部は、前記上面（１６、２６、３６、４６、５６）の切取部分又は剥離部分によって構成される、請求項１〜３５のいずれか１項に記載の廃棄処理可能な飲料缶。
【請求項３７】
前記プルタブオープナー（１１、２１、３１、４１、５１）はつまみを備える、請求項１〜３６のいずれか１項に記載の廃棄処理可能な飲料缶。
【請求項３８】
前記プルタブオープナー（１１、２１、３１、４１、５１）は、フィンガ開口を有するつまみを備える、請求項１〜３７のいずれか１項に記載の廃棄処理可能な飲料缶。
【請求項３９】
前記プルタブオープナーは、剥離可能なシールによって前記缶の前記上面に固定されるオーバーレイシート（２００１、５００１）に形成される、請求項１〜３８のいずれか１項に記載の廃棄処理可能な飲料缶。
【請求項４０】
前記プルタブオープナーは、オーバーレイシート（２００１、５００１）に形成され、上部オーバーレイシートの少なくとも半分の面積にわたる剥離可能なシールによって前記缶の前記上面に固定される、請求項１〜３９のいずれか１項に記載の廃棄処理可能な飲料缶。
【請求項４１】
前記プルタブオープナーは開口（１８０）を覆い、剥離可能なシールによって該開口（１８０）をシールする、請求項１〜４０のいずれか１項に記載の廃棄処理可能な飲料缶。
【請求項４２】
前記プルタブオープナーは、再密封可能なシールによって前記上面に固定される、請求項１〜４１のいずれか１項に記載の廃棄処理可能な飲料缶。
【請求項４３】
前記缶は再密封可能な閉封体を備える、請求項１〜４２のいずれか１項に記載の廃棄処理可能な飲料缶。
【請求項４４】
前記缶（１０、２０、３０、４０、５０）は、内部容積部（３３１、４３１）を有する、請求項１〜４３のいずれか１項に記載の廃棄処理可能な飲料缶。
【請求項４５】
前記内部容積部（３３１、４３１）はバリア機構（３１０、４１０）を備える、請求項１〜４４のいずれか１項に記載の廃棄処理可能な飲料缶。
【請求項４６】
前記バリア機構（３１０、４１０）は、前記注出機構と前記内部容積部（３３１、４３１）との間に配置される、請求項１〜４５のいずれか１項に記載の廃棄処理可能な飲料缶。
【請求項４７】
前記バリア機構（３１０、４１０）は、前記内部容積部を少なくとも２つの区画に分割する、請求項１〜４６のいずれか１項に記載の廃棄処理可能な飲料缶。
【請求項４８】
前記バリア機構（３１０、４１０）は出口容積部（３２５）を画定する、請求項１〜４７のいずれか１項に記載の廃棄処理可能な飲料缶。
【請求項４９】
前記缶（１０、２０、３０、４０、５０）は、少なくとも１つの穿孔シート材料（４５）を含むバリア機構を含む、請求項１〜４８のいずれか１項に記載の廃棄処理可能な飲料缶。
【請求項５０】
前記バリア機構はフィルタを含む、請求項１〜４９のいずれか１項に記載の廃棄処理可能な飲料缶。
【請求項５１】
前記バリア機構は、前記上面と前記側壁（複数可）とを接合する前記シールによって、前記缶の前記上端に接合される、請求項１〜５６のいずれか１項に記載の廃棄処理可能な飲料缶。
【請求項５２】
前記注出機構は、前記プルタブが剥離されると前記上面（１６、２６、３６、４６、５６）に開口（１８０、２８０、３８０、４８０、５８０）を有する、請求項１〜５１のいずれか１項に記載の廃棄処理可能な飲料缶。
【請求項５３】
前記開口（１８０、２８０、３８０、４８０、５８０）は少なくとも部分的に、前記上面（１６、２６、３６、４６、５６）のシート材料に形成される切欠き又は剥離可能な開口である、請求項１〜５２のいずれか１項に記載の廃棄処理可能な飲料缶。
【請求項５４】
前記注出機構は、前記上面（１６、２６、３６、４６、５６）に、好ましくは該上面の外周の方を向くフラップ（５８０）によって形成される開口（１８０、２８０、３８０、４８０、５８０）を有する、請求項１〜５３のいずれか１項に記載の廃棄処理可能な飲料缶。
【請求項５５】
前記上面（１６、２６、３６、４６、５６）及び前記少なくとも１つの接合部は外側リザーバ（１０１）を形成する、請求項１〜５４のいずれか１項に記載の廃棄処理可能な飲料缶。
【請求項５６】
前記缶を画定するフィルム（１３０）の少なくとも一部が、前記上面（１６、２６、３６、４６、５６）上に延出し、飲み口縁（１２、５２）を形成するように延出する、請求項１〜５５のいずれか１項に記載の廃棄処理可能な飲料缶。
【請求項５７】
前記飲み口縁（１２、５２）は、該飲み口縁の横断方向に少なくとも１つの補強部（５９０）を含む、請求項１〜５６のいずれか１項に記載の廃棄処理可能な飲料缶。
【請求項５８】
前記上面の前記開口（１８０）は、該上面の面積の半分未満である面積を有する、請求項１〜５７のいずれか１項に記載の廃棄処理可能な飲料缶。
【請求項５９】
前記上面の前記開口（１８０）は、該上面の面積の半分未満である領域を有し、上面よりも約０．２５ｃｍ２高い、請求項１〜５８のいずれか１項に記載の廃棄処理可能な飲料缶。
【請求項６０】
前記缶は外側支持機構（６０１）を備える、請求項１〜５９のいずれか１項に記載の廃棄処理可能な飲料缶。
【請求項６１】
前記缶は外側支持機構を備え、該外側支持機構は円筒形の外壁（６０１）を有する、請求項１〜６０のいずれか１項に記載の廃棄処理可能な飲料缶。
【請求項６２】
前記外側支持機構（６０１）は、形状安定ポリマーによって形成される、請求項１〜６１のいずれか１項に記載の廃棄処理可能な飲料缶。
【請求項６３】
前記外側支持機構（６０１）は、形状安定板紙によって形成される、請求項１〜６２のいずれか１項に記載の廃棄処理可能な飲料缶。
【請求項６４】
前記外側支持機構（６０１）は管状形状を有する、請求項１〜６３のいずれか１項に記載の廃棄処理可能な飲料缶。
【請求項６５】
前記外側支持機構（６０１）は底部支持体（７０３）をさらに備える、請求項１〜６４のいずれか１項に記載の廃棄処理可能な飲料缶。
【請求項６６】
前記外側支持機構（６０１）は底部支持体（７０３）及び上部支持体（７０２）をさらに備える、請求項１〜６５のいずれか１項に記載の廃棄処理可能な飲料缶。
【請求項６７】
前記缶は前記外側支持体に少なくとも部分的に取り付けられる、請求項１〜６６のいずれか１項に記載の廃棄処理可能な飲料缶。
【請求項６８】
前記外側支持体を含む前記缶の直径は、約４０ｍｍ〜１００ｍｍであり、高さは約７５ｍｍ〜約１５０ｍｍである、請求項１〜６７のいずれか１項に記載の廃棄処理可能な飲料缶。
【請求項６９】
前記外側支持体を含む前記缶の直径は、約５０ｍｍ〜６０ｍｍであり、高さは約８８ｍｍ〜約１２５ｍｍである、請求項１〜６８のいずれか１項に記載の廃棄処理可能な飲料缶。
【請求項７０】
前記外側支持機構は、飲料又はカップとして適用されることができる、請求項１〜６９のいずれか１項に記載の廃棄処理可能な飲料缶。
【請求項７１】
前記フィルム材料は多層フィルムから成る、請求項１〜７０のいずれか１項に記載の廃棄処理可能な飲料缶。
【請求項７２】
前記フィルム材料は単層フィルムから成る、請求項１〜７１のいずれか１項に記載の廃棄処理可能な飲料缶。
【請求項７３】
前記フィルム材料はポリエチレンを含む、請求項１〜７２のいずれか１項に記載の廃棄処理可能な飲料缶。
【請求項７４】
前記フィルム材料はポリプロピレンを含む、請求項１〜７３のいずれか１項に記載の廃棄処理可能な飲料缶。
【請求項７５】
前記フィルム材料はアルミニウム箔を含む、請求項１〜７４のいずれか１項に記載の廃棄処理可能な飲料缶。
【請求項７６】
前記フィルム材料は金属で被覆されたフィルム材料を含む、請求項１〜７５のいずれか１項に記載の廃棄処理可能な飲料缶。
【請求項７７】
前記缶は飲料缶である、請求項１〜７６のいずれか１項に記載の廃棄処理可能な飲料缶。
【請求項７８】
前記缶は液体を収容する、請求項１〜７７のいずれか１項に記載の廃棄処理可能な飲料缶。
【請求項７９】
前記缶は炭酸液体及び外側支持体を含む、請求項１〜７８のいずれか１項に記載の廃棄処理可能な飲料缶。
【請求項８０】
前記缶は焼却可能である、請求項１〜７９のいずれか１項に記載の廃棄処理可能な飲料缶。
【請求項８１】
前記容器容積部（１３１）は、約０．１５リットル〜約２リットル、好ましくは約０．２リットル〜１．５リットルの間である、請求項１〜８０のいずれか１項に記載の廃棄処理可能な飲料缶。
【請求項８２】
請求項１〜８１のいずれか１項に記載の缶に炭酸飲料を充填する方法であって、前記缶は、炭酸液体が該缶内に導入された時間から約３０分以内に、円筒形構造等の形状安定材料によって補強される、方法。
【請求項８３】
前記缶は５０重量％未満が金属で構成される、炭酸飲料を収容する廃棄処理可能な缶。
【請求項８４】
前記缶は１０重量％未満が金属で構成される、請求項８３に記載の廃棄処理可能な缶。
【請求項８５】
前記缶は５重量％未満が金属で構成される、請求項８３に記載の廃棄処理可能な缶。
【請求項８６】
前記缶は実質的に金属を含まない、請求項８３に記載の廃棄処理可能な缶。
【請求項８７】
液体で充填する前の前記缶は、該缶の５％未満である容積部を有する、請求項１〜８６のいずれか１項に記載の廃棄処理可能な缶。
【請求項８８】
液体を空にした後の前記缶は、液体で充填されている該缶の３０％未満の容積部を有する、請求項１〜８７のいずれか１項に記載の廃棄処理可能な缶。
【請求項８９】
液体を空にした後の前記缶は、液体で充填されている該缶の２０％未満の容積部を有する、請求項１〜８７のいずれか１項に記載の廃棄処理可能な缶。
【請求項９０】
液体を空にした後の前記缶は、液体で充填されている該缶の１０％未満、好ましくは５％未満の容積部を有する、請求項１〜８７のいずれか１項に記載の廃棄処理可能な缶。
【発明の詳細な説明】
【技術分野】
【０００１】
本発明は、請求項１に記載の廃棄処理可能な飲料缶に関する。
【背景技術】
【０００２】
従来技術において、たとえば清涼飲料の流通に関連して、フィルムベースのパッケージを適用するさまざまな試みがなされている。
【０００３】
米国特許第５，８３３，３６８号は、フィルム材料で作製される飲料容器を開示している。この容器は、ストロー入口領域を覆うプルタブシステムを含む、注出システムを備える。
【０００４】
国際公開第ＷＯ０１１８５５６０号は、ヒートシール可能なプラスチックフィルムから成るスタンドアップバッグである、さらなる容器を開示している。この容器は、流動性製品を収容するために適用される。
【０００５】
上記の文献は、注出システムがそれ自体飲み口として適していない、すなわちストロー等のさらなる注出部材を必要とするか、又は、容器自体が管のような出口（ここからユーザが直接飲むことができる）等の一体型注出機構を備えるという点において、ボトル、缶、又はグラス等の従来の注出機構と比較して、飲料容器から直接飲むことが不便であるという不都合点を有する。
【発明の開示】
【発明が解決しようとする課題】
【０００６】
たとえば清涼飲料の保存及び注出に適した廃棄処理可能な飲料缶を提供することが本発明の幾つかの目的のうちの１つである。
【課題を解決するための手段】
【０００７】
本発明は、可撓性フィルム材料によって少なくとも部分的に形成される廃棄処理可能な飲料缶であって、
当該缶は、上面を有し、且つ当該上面に形成されるプルタブオープナーを備える注出機構を備える、廃棄処理可能な飲料缶に関する。
【０００８】
本発明によると、飲料缶は、フィルム材料によって形成されることが有利である。缶は、固体壁から作製される従来の缶と同じ方法で使用するのに適しており、同時に、非常に費用効果的な方法で製造されることが有利である。さらに、缶は、非常に環境に優しい方法で廃棄することができる。
【０００９】
さらに、本発明による缶は、使用後の廃棄の際に容易に折り畳んで取り扱うことができる。
【００１０】
本発明によると、缶は、清涼飲料の搬送、保管を容易にし、且つ缶の注出機構によって飲用を容易にするであろう。好ましくは、ストロー及びマウスピース等の付加的な付属品を必要とすることなく直接飲用することが容易になるであろう。
【００１１】
さらに、本発明は、ユーザの視点から缶の基本的な用途に対処する。これは、従来の利点及び快適さが、使用後に缶を快適且つ容易に折り畳むこと等のさらなる利点と共に可撓性の缶によって得られるというものであり、このことは、圧縮具に頼るのではなく単に手で缶を握ることによって容易に得ることができる。
【００１２】
さらに、可撓性の缶は、たとえばフィルタ又はさらなる内部バリアを費用効果的な方法で缶内に組み込む可能性に関して、さらなる大きな利点を提供することができ、これは、そのような多くの措置が、シールパターン若しくは手順を変えること、及び／又は単に比較的安価なさらなるフィルムを適用することによって得ることができるためである。
【００１３】
さらに、本発明による可撓性の缶は、特定の用途（すなわちＵＶバリアを有するか又は有しない、断熱特性を有するか又は有しない、透明度を有するか又は有しない等）に適合され得る幾つかの種々の壁材料を提供する。
【００１４】
本発明の一実施の形態では、缶構造体は、上端、底面及び容器壁によって画定される容器容積部を有し、上記容器壁は可撓性フィルム材料によって形成される。
【００１５】
本発明の一実施の形態では、缶構造体は、上端、底面及び容器壁によって画定される容器容積部を有し、上記上端は可撓性フィルム材料によって形成される。
【００１６】
本発明の一実施の形態では、缶構造体は、上端、底面及び容器壁によって画定される容器容積部を有し、上記底面は可撓性フィルム材料によって形成される。
【００１７】
本発明の一実施の形態では、缶構造体は、上端、底面及び容器壁によって画定される容器容積部を有し、上記容器壁、上端及び底面は可撓性フィルム材料によって形成される。
【００１８】
本発明の一実施の形態では、容器壁は、上端及び底面間の方向に共に接合される可撓性フィルムシートから成る。
【００１９】
本発明の一実施の形態では、容器壁は、上端及び底面間の方向に共に接合される少なくとも２枚の可撓性フィルムシートから成る。
【００２０】
本発明の一実施の形態では、缶は実質的に平坦又は折り畳まれた構造体として接合される。
【００２１】
本発明の一実施の形態では、折り畳まれ接合された構造体は、缶の接合後に膨張する。
【００２２】
本発明の一実施の形態では、缶は、液体の充填前又は液体の充填と同時に膨張する。
【００２３】
本発明の一実施の形態では、接合は接着によって行われる。
【００２４】
本発明の一実施の形態では、接合は熱溶着によって行われる。
【００２５】
本発明の一実施の形態では、接合部は少なくとも２ｍｍである。
【００２６】
本発明の一実施の形態では、接合部は約３ｍｍ〜３０ｍｍの範囲内である。
【００２７】
本発明の一実施の形態では、接合部は約４ｍｍ〜２５ｍｍの範囲内である。
【００２８】
本発明の一実施の形態では、缶の直径は約４０ｍｍ〜約１２０ｍｍであり、高さは約９０ｍｍ〜約１５０ｍｍである。
【００２９】
本発明の一実施の形態では、上面は約１０ｃｍ未満である最小寸法を有する。
【００３０】
本発明の一実施の形態では、上面は約７ｃｍ未満の最小寸法を有する。
【００３１】
本発明の一実施の形態では、上面は実質的に円筒形である。
【００３２】
本発明の一実施の形態では、上面は別個のフィルム／シート材料から形成される。
【００３３】
本発明の一実施の形態では、上面は、缶を画定するフィルム材料の折曲部から形成される。
【００３４】
本発明の一実施の形態では、上面は、缶が液体で充填されると概ね円形面となる。
【００３５】
本発明の一実施の形態では、上面は、缶が液体で充填されると概ね矩形面となる。
【００３６】
本発明の一実施の形態では、上面は、缶が液体で充填されると概ね丸い面となる。
【００３７】
本発明の有利な実施の形態によると、上面、形状、サイズ及び缶の側壁への接合は、缶の従来の円形の上端に匹敵する、レセプタクルの管状形状の少なくとも一部を画定する。
【００３８】
本発明の一実施の形態では、缶と上面との接続面は、少なくとも１つの接合部によって形成される。
【００３９】
本発明の一実施の形態では、上部シールは、注出機構に対して、少なくとも部分的に取り除くことが可能な追加のシールによって少なくとも部分的に覆われる。
【００４０】
本発明の有利な実施の形態によると、缶を最初に開くまで飲用の際に適用される缶の一部を衛生的に保護するために、上面は追加のシールによって少なくとも部分的に覆われなければならない。この追加のシールは、たとえば開口、及びたとえば缶の縁の一部を覆うシートから成り得る。代替的に、このような追加のシールは、飲み口縁が清潔であることを確実にするために、たとえばプルタブ機構の一部を含み、飲み口縁の周りにフラップ状に形成される。
【００４１】
本発明の一実施の形態では、缶は底面を有する。
【００４２】
本発明の一実施の形態では、缶は少なくとも１つの底部折り目を有する。
【００４３】
本発明の一実施の形態では、缶は、自立型機構を有する底端部を有する。
【００４４】
本発明の好適な実施の形態によると、底部機構は、缶が従来の固い缶と実質的に同じ方法で自立することができるようにする底部機構を有する。
【００４５】
本発明の一実施の形態では、底面は、缶が液体で充填されると概ね円形面となる。
【００４６】
本発明の一実施の形態では、底面は、缶が液体で充填されると概ね丸い面となる。
【００４７】
本発明の有利な実施の形態によると、底面、形状、サイズ、及び缶の側壁への接合は、缶の従来の円形の上端に匹敵する、レセプタクルの管状形状の少なくとも一部を画定する。
【００４８】
本発明の一実施の形態では、上記プルタブオープナーはフィルム材料から形成される。
【００４９】
本発明の範囲内において、剥離可能な注出機構を多くの方法で作製することができる。フィルムベースの剥離可能な開口を得る方法のうちの１つは、国際公開第００／５８１６６（参照によって本明細書に援用される）に記載されている。
【００５０】
本発明の一実施の形態では、上記プルタブオープナーは多層フィルム材料から形成される。
【００５１】
本発明の一実施の形態では、上記プルタブオープナーは強化フィルム材料から成る。
【００５２】
プルタブオープナーの少なくとも一部を形成するフィルム材料の強化は、たとえば幾つかのフィルム層を積層することによって、又はたとえばフィルム材料若しくはシート材料の厚さを増すことによって得ることができる。代替的な実施の形態はたとえば、プルタブを把持し易くし、且つ当該タブによる剥離をより効果的にする、接着剤ラベルが取り付けられたフィルムを含んでもよい。
【００５３】
本発明の一実施の形態では、上記プルタブオープナーの少なくとも一部は、上記上面の一部によって構成される。
【００５４】
本発明の一実施の形態では、上記プルタブオープナーの少なくとも一部は、上記上面の切取部分又は剥離部分によって構成される。
【００５５】
本発明の一実施の形態では、上記プルタブオープナーはつまみを備える。
【００５６】
本発明の一実施の形態では、上記プルタブオープナーは、フィンガ開口を有するつまみを備える。
【００５７】
本発明の一実施の形態では、上記プルタブオープナーは、剥離可能なシールによって缶の上面に固定されるオーバーレイシートに形成される。
【００５８】
本発明の一実施の形態では、上記プルタブオープナーは、オーバーレイシートに形成され、上部オーバーレイシートの少なくとも半分の面積にわたる剥離可能なシールによって缶の上面に固定される。
【００５９】
本発明の一実施の形態では、上記プルタブオープナーは開口を覆い、剥離可能なシールによって当該開口をシールする。
【００６０】
本発明の一実施の形態では、上記プルタブオープナーは、再密封可能なシールによって上面に固定される。
【００６１】
再密封可能なシールによってプルタブを上面に固定する場合、缶は、使用後に閉封することができる。したがって、再密封可能なシールは、ユーザが最初に缶を開け、次いでプルタブによって再び缶を閉封することができることを容易にし得る。
【００６２】
本発明の一実施の形態では、缶は再密封可能な閉封体を備える。
【００６３】
さらなる実施の形態によると、缶は、最初の開封後にユーザが缶を再密封したい場合に、再密封することができる閉封体を備えることができ、これはたとえば、缶に取り付けられて注出機構の開口を完全に又は部分的に覆うことができる、別個のシート又はタブである。
【００６４】
本発明の一実施の形態では、缶は内部容積部を有する。
【００６５】
本発明の一実施の形態では、内部容積部はバリア機構を備える。
【００６６】
バリア機構は基本的に、内部容積部において液体を流す、特に缶の内側から外側へ流す内側バリアを備える。バリア機構は単に、１つ若しくは複数の開口を有する壁、小さい孔を有するフィルタ材料等、内部容積部におけるさまざまな流れ制限手段から成り得る。
【００６７】
バリア機構はさらに、可撓性の缶の流出流を消費者が制御するのを容易にし得る。
【００６８】
さらに、バリア材料は、缶の形状を安定に保つ、すなわち圧力に抗する強度を構造に加えるためにも役立ち得ることに留意されたい。
【００６９】
本発明の一実施の形態では、バリア機構は、注出機構と内部容積部との間に配置される。
【００７０】
本発明の一実施の形態では、バリア機構は、内部容積部を少なくとも２つの区画に分割する。
【００７１】
本発明の一実施の形態では、バリア機構は出口容積部を画定する。
【００７２】
本発明の有利な実施の形態によると、缶の内部容積部は、出口容積部を含み、液体は缶から注出されるためにここを流れなければならない。この容積部は、注出前に液体をろ過するために適用されることが有利であり、出口、すなわち上面の開口に向かう急な流れが種々の様々な方法で流れ制限を受け、したがって意図しない注出に対抗することができるという意味で流出抑止部として役立ち得る。
【００７３】
本発明の一実施の形態では、缶は、少なくとも１つの穿孔シート材料を含むバリア機構を備える。
【００７４】
本発明の一実施の形態では、バリア機構はフィルタを含む。
【００７５】
本発明の有利な実施の形態によると、缶の内部容積部内に保持される液体から残留物をろ過するためにフィルタが設けられる。
【００７６】
本発明の一実施の形態では、バリア機構は、上面と側壁（複数可）とを接合するシールによって、缶の上端に接合される。
【００７７】
本発明の一実施の形態では、注出機構は、プルタブが剥されると上記上面に開口を有する。
【００７８】
本発明の一実施の形態では、開口は少なくとも部分的に、上記上面のシート材料に形成される切欠き又は剥離可能な開口である。
【００７９】
本発明の一実施の形態では、上記注出機構は、上面に、好ましくは当該上面の外周の方を向くフラップによって形成される開口を有する。
【００８０】
本発明の一実施の形態では、上面及び上記少なくとも１つの接合部は外側リザーバを形成する。
【００８１】
本発明の好適な実施の形態によると、缶の上部は、一種のリザーバ、又は容器の上部における少なくとも外側流出抑止バリアを形成することが有利であろう。
【００８２】
実験によって、そのような外側リザーバはまた、ストロー等の最終的な追加の注出機構、又は付属品を不要にすることができ、より重要には、たとえばビール缶等の従来の固い缶から飲んでいるときの経験に匹敵するような「飲用感覚」をユーザに提供することが分かった。
【００８３】
本発明の一実施の形態では、缶を画定するフィルムの少なくとも一部が、上面の上に延びて、飲み口縁を形成するように延びる。
【００８４】
有利には、スパウトが、ユーザが缶からこぼすことなく飲用するのを助け得る。
【００８５】
本発明の一実施の形態では、飲み口縁は、当該飲み口縁の横断方向に少なくとも１つの補強部を有する。
【００８６】
本発明の一実施の形態では、上記上面の開口は、上面の面積の半分未満である面積を有する。
【００８７】
本発明の一実施の形態では、上記上面の開口は、上面の面積の半分未満である領域を有し、上面よりも約０．２５ｃｍ２高い。
【００８８】
本発明の一実施の形態では、缶は外側支持機構を備える。
【００８９】
本発明の一実施の形態では、缶は外側支持機構を備え、当該外側支持機構は円筒形の外壁を有する。
【００９０】
本発明の有利な実施の形態によると、缶は、円筒形構造内に嵌合されるか、又はこれによって支持され、当該円筒形構造は、本質的に比較的可撓性の缶の支持体としても働き、それによって、当該構造体を、硬い金属壁を有する従来の（たとえばアルミニウム系）缶と同じように扱うことができるようにし得る。さらに、缶が確実な信頼できる方法で自立することができる能力が高まり、また、缶がたとえば炭酸飲料等を収容する能力も高まり得る。
【００９１】
外側缶は、形状及び取扱いに関して缶を安定に保つのにも役立ち得る。さらに、外側缶は、炭酸流体の充填を可能にする容積部を固定するものとして役立ち得る。
【００９２】
本発明の一実施の形態では、外側支持機構は、形状安定ポリマーによって形成される。
【００９３】
本発明の一実施の形態では、外側支持機構は、形状安定板紙によって形成される。
【００９４】
本発明の一実施の形態では、外側支持機構は管状形状を有する。
【００９５】
本発明の一実施の形態では、外側支持機構は底部支持体をさらに備える。
【００９６】
本発明の一実施の形態では、外側支持機構は底部支持体及び上部支持体をさらに備える。
【００９７】
本発明の一実施の形態では、缶は上記外側支持体に少なくとも部分的に取り付けられる。
【００９８】
本発明の一実施の形態では、外側支持体を含む缶の直径は、約４０ｍｍ〜１００ｍｍであり、高さは約７５ｍｍ〜約１５０ｍｍである。
【００９９】
本発明の一実施の形態では、外側支持体を含む缶の直径は、約５０ｍｍ〜６０ｍｍであり、高さは約８８ｍｍ〜約１２５ｍｍである。
【０１００】
本発明の一実施の形態では、外側支持機構は、飲料缶又はカップとして適用されることができる。
【０１０１】
本発明の一実施の形態では、フィルム材料は多層フィルムから成る。
【０１０２】
本発明の一実施の形態では、フィルム材料は単層フィルムから成る。
【０１０３】
本発明の一実施の形態では、フィルム材料はポリエチレンを含む。
【０１０４】
本発明の一実施の形態では、フィルム材料はポリプロピレンを含む。
【０１０５】
本発明の一実施の形態では、フィルム材料はアルミニウム箔を含む。
【０１０６】
本発明の一実施の形態では、フィルム材料は金属で被覆したフィルム材料を含む。
【０１０７】
金属で被覆したフィルムはたとえば、結果として、缶内へのＵＶ光を完全に又は少なくとも部分的にフィルタ除去することによって、バッグの内部を保護することができる。
【０１０８】
本発明の有利な実施の形態によると、フィルム材料は金属で被覆したフィルム材料を含むことによって、環境への最小限の影響しか伴わずに燃焼によって廃棄することができる。
【０１０９】
本発明の一実施の形態では、缶は飲料缶である。
【０１１０】
本発明の好適な実施の形態によると、缶は、ストロー及びマウスピース等の付加的な付属品を必要とすることなく直接飲用することを容易にするものとする。
【０１１１】
本発明の一実施の形態では、缶は液体を収容する。
【０１１２】
本発明の一実施の形態では、缶は炭酸液体及び外側支持体を含む。
【０１１３】
本発明の一実施の形態では、缶は可燃である。
【０１１４】
本発明の一実施の形態では、容器容積部は、約０．１５リットル〜約２リットル、好ましくは約０．２リットル〜１．５リットルの間である。
【０１１５】
さらに、本発明は、炭酸飲料を請求項１〜８１のいずれか１項に記載の缶に充填する方法であって、缶は、炭酸液体が缶内に導入された時間から約３０分以内に、円筒形構造等の形状安定材料によって補強される、方法に関する。
【０１１６】
さらに、本発明は、炭酸飲料を収容する廃棄処理可能な缶であって、５０重量％未満が金属で構成される、廃棄処理可能な缶に関する。
【０１１７】
本発明の好適な実施の形態によると、缶は、たとえば硬いアルミニウム系金属から作製される従来の缶と比較して含有する金属の量が少なく、それによって、環境に優しい廃棄処理可能な缶を提供する。
【０１１８】
本発明の一実施の形態では、缶は１０重量％未満が金属で構成される。
【０１１９】
本発明の一実施の形態では、缶は５重量％未満が金属で構成される。
【０１２０】
本発明の一実施の形態では、缶は実質的に金属を含まない。
【０１２１】
本発明のさらなる好適な実施の形態によると、缶は実質的に金属を含まず、したがって最終的に、完全なパッケージをたとえば二酸化炭素及び水等の残留物にし得る、環境的な燃焼プロセスによって廃棄することができる。明らかに、そのようなプロセスは、所望の、好ましくは非金属残留物を生じるように制御されることが有利であろう。
【０１２２】
本発明の一実施の形態では、液体で充填する前の缶は、缶の５％未満である容積部を有する。
【０１２３】
本発明の一実施の形態では、液体を空にした後の缶は、液体で充填されている缶の３０％未満の容積部を有する。
【０１２４】
本発明の一実施の形態では、液体を空にした後の缶は、液体で充填されている缶の２０％未満の容積部を有する。
【０１２５】
本発明の一実施の形態では、液体を空にした後の缶は、液体で充填されている缶の１０％未満、好ましくは５％未満の容積部を有する。
【０１２６】
さらに、本発明は、好ましくは少なくとも１つの可撓性フィルム壁によって形成される廃棄処理可能な缶であって、内側バリア機構を備える、廃棄処理可能な缶に関する。本発明の一実施の形態によるこのバリアは基本的に、注出機構に関して缶の上端の設計に関係なく、缶の主容積部と出口との間に配置される必要があることに留意されたい。缶は基本的に、内部容積部において液体を流す、特に缶の内側から外側へ流す内側バリアを備える。バリア機構は単に、１つ若しくは複数の開口を有する壁、小さい孔を有するフィルタ材料等、内部容積部におけるさまざまな流れ制限手段から成り得る。
【０１２７】
さらに、バリア材料は、缶の形状を安定に保つためにも役立ち得ることに留意されたい。
【０１２８】
本発明の実施の形態のさらに非常に広範な観点は、缶が、最初に製造されて、折り畳まれた状態で醸造所等の充填ステーションに運ばれ、次いで充填の際に膨張し得るということによって、本発明による可撓性の缶を適用すると物流が大幅に改善されることである。次に、消費者が缶を空にすると、缶は容易に折り畳んで最小容積にすることができる。これは、外側支持体を備える缶を適用する場合にも大いに当てはまる。
【０１２９】
最後に、本発明は、従来の金属缶と比べて非常に環境に優しい対策も特徴とする。
【発明を実施するための最良の形態】
【０１３０】
缶は概して、液体又は流動性材料を保持する、通常は円筒形のレセプタクルを指す。清涼飲料の分野内で、たとえば、炭酸飲料というと、このような用語は通常、取り外すことができるプルタブを有する金属レセプタクルを指し、数十年間でほぼ世界基準になっている。
【０１３１】
一般的に、たとえばヒートシール又は接着によるシール等の接合は恒久的なものであり、特に明記しない限り原則として剥離することを意図しないことに留意されたい。
【０１３２】
図１Ａ〜図１Ｆは、本発明による廃棄処理可能な缶の一実施形態を示す。
【０１３３】
図１Ｂ及び図１Ｃは、図１Ａの線ＩＣに沿った断面を示す。
【０１３４】
図示の廃棄処理可能な飲料缶２０は、接合されたフィルム１３０、１３、１６及び１９によって形成され、フィルム１３０及び１３は缶の壁（複数可）を形成し、シート１６は上面１６を形成し、シート１９は底面１９を形成する。
【０１３５】
２つのフィルム１３及び１３０は、側部シール１３２及び１３３によって接合される。代替的に、缶１０は、一辺が折り返され、他辺がたとえばシール１３２又は１３３等によって接合される、１枚のフィルムに基づいて製造されてもよい。
【０１３６】
缶１０の上面１６は、オーバレイフィルムによって形成されると共に、剥離線１４及び１５によって画定されるプルタブオープナー１１を有して形成される。上面を部分的に覆うオーバレイ材料は、１枚のフィルムシート（又はたとえば図示の設計のように）と、折り重ねられた飲み口縁１２を形成するように壁部分の上部から延在して、接合部１０２及び任意選択的に追加の接合部（図示せず）によって少なくとも部分的に接合される側壁１３０の上端とによって形成され得る。剥離線は、タブの目的の剥離を容易にするために約５ｍｍ〜８ｍｍ以上であることが好ましいであろう。
【０１３７】
上面１６はまた、図示のように別個のシートによって形成されるか、又はたとえば側壁５３若しくは５３０のうちの一方の折重部によって形成され得る。
【０１３８】
プルタブ１１の下の開口１８０は、上面１６に画定され予め形成される。プルタブ１１のオーバレイ部分は、剥離可能なシール１０３によって完全にシールされ、剥離可能なシール１０３は、単独で又はたとえば接合部１０２と組み合わせて、缶の内部容積部１３１を完全にシールする。
【０１３９】
上面１６は少なくとも１つの内側折り目１７を有し、これによって、缶が完全に又は少なくとも部分的に折り畳まれている製造位置から膨張することができる。
【０１４０】
底面１９は少なくとも１つの上部折り目１８を有し、これによって、缶が完全に又は少なくとも部分的に折り畳まれている製造位置から膨張することができる。
【０１４１】
缶は、上面１６、開口１８０、並びに接合部１０２及び１０４によって形成される上部注出機構１０１を有し、これはリザーバ様構造体の外周を画定する。
【０１４２】
開口１８０の周りに外周が画定されたリザーバ構造体は、従来の缶に関連する動作以外の他の動作、すなわちタブを取り除いて、次いで缶の上端から直接飲用することを必要とすることなく、ユーザが缶１０から飲用することを可能にする。
【０１４３】
設けられる注出機構１０１によって、従来の缶におけるような飲用する際の任意の望ましくないこぼれを、ユーザが捉えることがさらに可能になる。
【０１４４】
本発明の他の実施形態では任意である飲み口縁１２が、飲用する際の魅力的な取扱いに役立つ支持体又は或る種のマウスピースとして機能する。
【０１４５】
図１Ｆは、プルタブ１１が缶から取り除かれ、開口１８０を介して缶の内部容積部へのアクセスを提供する場合を示す。
【０１４６】
図１Ｄ及び図１Ｅは、缶１０の三次元図を示す。
【０１４７】
プルタブ１１は、２本の剥離線１４及び１５によって画定され、且つ取り除かれると開口１８０を内部容積部へ曝す。
【０１４８】
図２Ａ〜図２Ｆは、上述した図１Ａ〜図１Ｆの飲料缶の変形形態であり、ここでは変更されているプルタブ２１を有する缶２０を示す。
【０１４９】
プルタブ２１は同様に形成され、取り除かれるまで開口２８０を完全に囲んでシールする接合部２０４によって缶の上面に取り付けられる。プルタブ２１は同様に、缶２０の上面を少なくとも部分的に覆い、且つ少なくとも開口２８０を覆うのに十分なオーバーレイシート２００１に形成される。
【０１５０】
プルタブ２１は、上面の切取部分又は剥離部分２０５に少なくとも部分的に接合される。
【０１５１】
プルタブ２１が取り除かれるときに、上面の切取部分又は剥離部分２０５がプルタブに付着し、図２Ｆに示すようにプルタブと共に取り除かれる。
【０１５２】
上述のプルタブの代替的な実施形態は、部分２０５を剥離部分又は押下部分２０５として形成して、プルタブ２１及び剥離部分２１間の上述したような接合部を省略することであり得る。このように、缶の開封は、剥離タブと、上面の別個の剥離部分又は押下部分２０５とを別々に除去することを含む、２段階開封として行われ得る。上記部分を押下部分として適用する場合、この部分が押下げられると、この部分は、上面に少なくとも部分的に固定されているか、又は上面の一部を成すものとする。
【０１５３】
さらなる代替的な実施形態は、開口を最初に完全に切断し、したがってプルタブのみによって開口を覆うことによって得ることができる。
【０１５４】
図３Ａ〜図３Ｃは、図１Ａ〜図１Ｆの缶１０に基づく本発明のさらなる実施形態を示すが、ここではバリア機構３１０が設けられている。
【０１５５】
穿孔３５０によって穿孔されているシートを含むバリア機構３１０は缶に固定され、内部容積部３３１を、主容積部と出口容積部３２５との２つの容積部に分割する。
【０１５６】
バリア３１０は、幾つかの異なる目的に役立つ。
【０１５７】
１つの目的は、内部容積部３３１から、開口３８０を介する外部への急激な流れを制限するか又は弱めることである。
【０１５８】
別の目的は、缶を空にする際に流出するべきではない残留物に対するフィルタとしても作用することである。そのような残留物は、たとえば食物繊維、小さい果実片等を含む。
【０１５９】
別の重要な目的は、可撓性の缶に形状安定性を加えることである。
【０１６０】
図４Ａ〜図４Ｆは、図２Ａ〜図２Ｆの缶２０に基づく本発明のさらなる実施形態を示すが、ここではバリア機構４１０が設けられている。
【０１６１】
穿孔３５０によって穿孔されているシートを含むバリア機構４１０は缶に固定され、内部容積部３３１を２つの容積部に分割する。
【０１６２】
バリア４１０は、幾つかの異なる目的に役立つ。
【０１６３】
１つの目的は、内部容積部から開口を介しての外部への急激な流れを制限するか又は弱めることである。
【０１６４】
別の目的は、缶を空にする際に流出するべきではない残留物に対するフィルタとしても作用することであり得る。そのような残留物は、たとえば食物繊維、小さい果実片等を含む。
【０１６５】
別の重要な目的は、可撓性の缶に形状安定性を加えることでもある。
【０１６６】
図５Ａ〜図５Ｃは、同様に図２Ａ〜図２Ｆの缶２０に基づく本発明のさらなる実施形態を示すが、ここでは、上述の穿孔フィルタ構造体とは異なる別のバリア機構５１０が設けられている。
【０１６７】
バリア機構５１０は開口５８００を有するシートを含み、当該シートは、缶の内部容積部に固定されて内部容積部を２つの容積部に分割する。
【０１６８】
バリア５１０は、幾つかの異なる目的に役立ち得る。
【０１６９】
１つの目的は、内部容積部から開口５８０を介しての缶の外部への急激な流れを制限するか又は弱めることである。
【０１７０】
別の目的は、缶を空にする際に流出するべきではない残留物に対するフィルタとしても作用することである。そのような残留物は、たとえば食物繊維、小さい果実片等を含む。
【０１７１】
別の重要な目的は、可撓性の缶に形状安定性を加えることである。
【０１７２】
明らかに、幾つかの他のバリア機構が、本発明の範囲及び精神内で作製され得る。
【０１７３】
さらに、缶５０は、プルタブ設計及び飲み口縁５２の設計に関して缶２０と比較する場合に幾つかのさらなる変更形態を有することが留意される。
【０１７４】
まず飲み口縁の設計では、たとえば比較的剛性の紐５９０の形態の補強部５９０が、飲み口縁５２及びプルタブ５１の一部を形成する折り重ねられた側壁５３０に挿入されている。補強部５９０は、任意の適した材料、好ましくはポリマーから作製され、飲み口縁の内側を形成する区画内に溶着されるか若しくは接着され、又は区画画定シールによって単に位置付けられ得る。適用される補強部５９０の機能は、飲み口縁５２の形状を安定に保つと共に、注出の際に飲み易くすることである。最後に、補強部５９０は、両側の溶接部５３２、５３３によって、折重部内の２つの端に簡単に固定することができる。
【０１７５】
ここで、変更されているプルタブ５１を参照すると、このタブは、缶５０の上面５６を少なくとも部分的に覆い、且つ少なくとも上面５６の切れ目５８１を覆うのに十分であり、上面５６に馬蹄形開口５８０を形成するオーバーレイシート５００１内の剥離線５４及び５５によって形成される。剥離線５４、５５は、オーバーレイシート５００１にたとえばミシン目線又は切れ目を有し得る。ミシン目線又は切れ目は、上面の外周の方を向くフラップ様機構を形成することによって、わずかに傾くと液体の比較的制限されない流出を容易にする自己開封機構を提供することに留意されたい。さらに、外周の方を向くフラップの反対端は、内部容積部を完全に空にすることを容易にするためにできるだけ外周に近接しているべきであることに留意されたい。同様に、オーバーレイシート５００１は、側壁５３０に溶着される一枚のシートを形成するか、又は図示のように長い側壁５３０を折り重ねることによって簡単に形成され得る。
【０１７６】
オーバーレイシート５００１は、オーバーレイシートの全面積にわたる剥離可能なシールによって上面５６に溶着されるが、オーバーレイシート５００１の端、又は剥離線５４、５５によって画定されるプルタブ５１を形成するオーバーレイシートの少なくとも一部は上面５６に接合されず、それによって、ユーザがプルタブ５１を把持することができることが好ましい。
【０１７７】
ここでは、開口５８０は、上面５１に依然として固定されているフラップによって画定されるが、この場合も注出は可能であることに留意されたい。
【０１７８】
図６Ａは、本発明の一実施形態による廃棄処理可能な缶を示す。缶６０は、たとえば図２Ａ〜図２Ｆの缶２０に完全に対応する。
【０１７９】
缶６０は、缶６０の外側支持体を形成する剛性の管構造体６０１内に嵌まり、底部支持体６０３及び上部蓋６０２が設けられ得る。
【０１８０】
図７Ａ及び図７Ｂは、本発明による外側支持体７０１によって支持される可撓性の缶７０のさらなる実施形態を示す。缶７０は、図２Ａに示される缶２０に概して対応するが、ここでは、延長された飲み口縁を有しない。
【０１８１】
缶７０は、円筒形状の外側支持体７０１内に配置され、底部が底部支持体７０３によって支持され、上部が上部支持体７０２によって保護される。さらに、底部支持体は、外側支持体７０１を機械的に固定するのに適した形状７５３で形成される。
【０１８２】
全ての支持構成部品７０１、７０２、７０３は、互いに固定されるか、又は完全に若しくは部分的に開放可能であり得る。
【０１８３】
さらに、缶は、たとえば接着若しくは溶着によって外側支持体に固定されるか、又は外側支持機構７０１、７０３によって単に機械的に固定され得る。
【０１８４】
炭酸飲料用の可撓性の缶を適用する場合、缶の全ての表面は、缶内のかなりの圧力を相殺するために、外側支持体、すなわち外側支持体７０１、底部支持体７０３、及び上部支持体７０２によって支持されるものとする。
【０１８５】
図８Ａ及び図８Ｂは、缶８０が外側板紙支持体８０１内に配置される、本発明のさらなる実施形態を示す。缶８０は、図１Ａに示される缶１０に概ね対応するが、ここでは、延長された飲み口縁は有しない。
【０１８６】
外側支持体８０１は、外側支持体と一体化されると共につまみ８０７を有する剥離ストリップ８０８を有する。
【０１８７】
図８Ｂは、剥離ストリップが取り除かれ、外側支持体が２つの別個の部分８０１、８０２に分割されており、この時点で缶８０へのアクセスが容易になっている場合を示す。
【０１８８】
図示の実施形態では、ここでさらなる実施形態を説明する。この実施形態は、缶８０を外側支持体８０１、８０２に入れて消費者の元へ運ぶことを含む。
【０１８９】
ユーザは、上記で説明したようにシール８０８を破断し、外側支持体８０１から缶８０を取り出す。次いで、ユーザは注出機構を開いて缶８０内に収容されている液体を下側の外側支持体８０１内へ注ぎ、最後に、下側の外側支持体８０１をカップとしてここから液体を飲む。
【０１９０】
図９Ａ〜図９Ｈは、缶（たとえば缶１０）と共に用いる外側支持機構の用途の幾つかの代替的な実施形態を示す。
【０１９１】
外側支持機構は、外側支持体９０１Ａ、９０１Ｂ、９０１Ｃ、９０１Ｄ、９０１Ｅ、９０１Ｆ、９０１Ｇ、９０１Ｈ、上部支持体９０２Ａ、９０２Ｂ、９０２Ｃ、９０２Ｄ、９０２Ｅ、９０２Ｆ、９０２Ｇ、９０２Ｈ、及び底部支持体９０３Ａ、９０３Ｂ、９０３Ｃ、９０３Ｄ、９０３Ｅ、９０３Ｆ、９０３Ｇ、９０３Ｈを含む。
【０１９２】
炭酸液体用の缶及び外側支持機構を適用する場合、外側支持体は缶内の圧力に抗するという非常に重要な機能を有し、すなわち、フィルム構造体が、炭酸液体が誘引する比較的高い圧力によって破断しないようにする。したがって、可撓性の缶と外側支持体とを組み合わせて使用することは、これまでには解決されなかった可撓性容器内の炭酸液体を保つことに関連する問題を解決する。
【０１９３】
外側支持体は、比較的剛性で形状安定ポリマーから成る板紙ベースの構造体で形成されることが有利であり得る。
【０１９４】
缶は、外側支持体内に緩く嵌まるか、又は外側支持体に固定され得る。
【０１９５】
外側支持体は、以下のような幾つかの異なる目的を果たすことができる：
缶を所望の形状に保つこと、
梱包、棚への搬送及び積み重ねを容易にすること、
可撓性の缶に強度を加えると共に炭酸入りの清涼飲料の充填を容易にすること。
【０１９６】
一般的に、上記の缶を形成するために適用されるフィルムは、単層又は多層のウェブ材料を含み得る。
【０１９７】
フィルムは、光透過性であるか、又は少なくとも部分的に光透過性であり得る。フィルムには、缶内に保持される液体を保護するＵＶフィルタが設けられていてもよい。
【０１９８】
フィルムは、任意選択的に金属フィルムで補足される高分子フィルムから成ることが好ましいであろう。しかし、好適な実施形態によると、完成した缶は、実質的に金属を含まずに作製されるか、又は少なくとも非常に少量の金属で作製されることによって、比較的環境的に魅力的な方法で廃棄される場合に缶が燃焼可能となる。
【０１９９】
可撓性の缶の少なくとも内側部分は、液体不透過性材料から作製されるものとする。
【０２００】
本発明の一実施形態では、上記液体不透過性材料のシートは、多層シートから成る。
【０２０１】
本発明の一実施形態では、上記液体不透過性材料のシートは、少なくとも１枚の高分子シートと、少なくとも１枚の金属シートとの積層体から成る。
【０２０２】
本発明の一実施形態では、上記液体不透過性材料のシートは、缶の壁（複数可）、上面及び底面を含む。
【０２０３】
本発明の一実施形態では、上記液体不透過性材料のシートは、金属箔、高分子フィルム、金属で被覆したフィルム若しくはコーティングされたフィルム、ポリマーシーラント、ポリエステル、ポリアミド、並びにポリエチレン及びポリプロピレン又は任意のこれらの組合せを含むポリオレフィンの群から選択される少なくとも１つのフィルム又は箔から成る。
【０２０４】
本発明の一実施形態では、缶の上記液体不透過性材料は、１０μｍ〜２ｍｍ、好ましくは４０μｍ〜５００μｍ、より好ましくは６０μｍ〜２００μｍ、最も好ましくは８０μｍ〜１５０μｍの範囲の厚さを有する。
【０２０５】
本発明の一実施形態では、缶の上記多層構造は、外側フィルム、任意の中間バリア層、及びポリマーシーラントの内側層を含む。
【０２０６】
フィルタ機構の材料及び／又は液体透過性の内側区画材料は、穿刺された材料、被エッチング材料、溶融材料、打ち抜き加工材料、又は切断材料を含み得る。材料は、たとえばプラスチック、ポリエチレン又はポリプロピレン等のポリオレフィン、ポリエステル、ポリアミド、及び他のポリマー、織られているか若しくは不織の発泡プラスチック、布、スクリーン、ワイヤメシュ、金属又は射出成形プラスチックを含み得る。
【０２０７】
フィルタ機構形成シートは、１〜３０孔／ｃｍ２、好ましくは２〜２０孔／ｃｍ２、最も好ましくは４〜１２孔／ｃｍ２の範囲の孔密度を有する液体透過性シート材料から成り得る。
【０２０８】
孔は、０．０１ｍｍ×０．０１ｍｍ〜２．００ｍｍ×２．００ｍｍ、好ましくは０．１ｍｍ×０．１ｍｍ〜１．０ｍｍ×１．０ｍｍ、より好ましくは０．１ｍｍ×０．１ｍｍ〜０．６ｍｍ×０．６ｍｍの範囲の寸法を有し得る。
【０２０９】
可撓性の缶の壁フィルム（複数可）は、たとえば３つの層を含む多層積層材料から成り得る。すなわち、ＰＥＴＰ製の外側層、たとえば９μｍ箔等のアルミニウム箔製のバリア層としての中間層、及び８０μｍ〜１２０μｍポリエチレン（ＰＥ）を含むシーラントを形成する内側層である。多層積層材料は通常、２つ以上の層を含み得る。
【０２１０】
缶の底面は、たとえば３つの層を含む多層積層材料から作製され得る。すなわち、たとえば厚さ２０μｍの共押出２軸延伸ポリプロピレン製の外側層、金属で被覆しエチレンビニルアルコール（ＥｖＯＨ）でコーティングされたポリエチレンテレフタレート（ＰＥＴ）製のバリア層としての中間層、及びたとえば５０μｍの直鎖状低密度ポリエチレン（ＬＬＤＰＥ）又は高密度ポリエチレン（ＨＤＰＥ）を含むシーラントを形成する内側層である。
【０２１１】
フィルタ材料及び／又は内側区画はたとえば、０．２ｍｍ×０．４ｍｍのサイズの孔（８孔／ｃｍ２の密度）を有して打ち抜き加工された３０μｍの高密度ポリエチレン（ＨＤＰＥ）から作製され得る。
【０２１２】
外側支持体の構造材料は、少なくとも１枚の高分子フィルム、金属で被覆したフィルム又はコーティングされたフィルム、ＥｖＯＨコーティング、金属箔、シーラント、又はこれらの組合せを含む。
【０２１３】
外側支持体は一般に、さまざまな材料から形成することができるが、板紙、繊維ベースの材料及び種々のポリマーが明白な選択である。外側支持体は、缶が使用されるか又は積み重ねられても形状安定性を保つのに十分な剛性を有することが好ましい。
外側支持体は一般に、さまざまな材料から形成することができるが、板紙、繊維ベースの材料及び種々のポリマーが明白な選択である。外側支持体は、缶が使用されるか又は積み重ねられても形状安定性を保つのに十分剛性であることが好ましいであろう。
【０２１４】
缶に収容されている液体が炭酸液体である場合、外側支持体は、炭酸液体が誘引する過圧力に起因する缶の破損に抗するのに十分強いことが好ましいであろう。
【０２１５】
外側支持体は、単層材料によって作製されるか、又は多層材料によって形成され得る。
【０２１６】
缶のプルタブは、自由端部にある接着剤が上面に接着できないように、自由端部の接着剤を覆う裏材をさらに含み得る。この裏材は、プラスチック材料又は紙材料であり得る。代替的に、別個の裏材の代わりに、自由端の上部が折り重ねられて、それ自身に接着することによって自由端部を提供してもよい。
【０２１７】
缶は、ポリエチレン及びポリプロピレンを含む共重合体であり得る第１の側壁セクションの外側シール媒質層と、実質的にポリエチレンから作製される缶壁の内側シール媒質層とも備え得る。このような構造はたとえば、缶が、実質的にポリエチレンから成る内側シール媒質層と、ポリエチレン及びポリプロピレンを含む共重合体である外側シール媒質層とを有する１枚のフィルムウェブから作製されるスタンドアップ缶を形成するのに十分形状安定性であることを容易にすることができる。
【０２１８】
さらに、本発明によると、プルタブは、重なり領域において２つの側壁セクション間に配置されるフィルムストリップを含み、また、第１の外側シール媒質層及び第２の外側シール媒質層を有し、これらによって、フィルムストリップがそれぞれの側壁セクションにしっかりと（剥離不能に）ヒートシールされる。フィルムストリップは、外側シール媒質層のうちの少なくとも一方に剥離可能に接続される中間層をさらに含んでもよく、外側シール媒質層は、中間層及び当該シール媒質層間の剥離強さよりも弱い引裂抵抗を有する。したがって、剥離可能な接続部は、シール継ぎ目の両側の弱いシール媒質層を引裂くこと、及び弱いシール媒質層及び中間層間を離層することによって開かれる。
【０２１９】
プルタブ接続部の剥離強さは、たとえば１００ｇ〜８００ｇ／２０ｍｍ、好ましくは２００ｇ〜６００ｇ／２０ｍｍ、最も好ましくは３００ｇ〜５００ｇ／２０ｍｍの範囲であり得る。
【０２２０】
バッグ、及び／又は本発明による予め作製されたバッグを製造するために、好ましくはポリオレフィン、すなわちＰＥ又はＰＰを含む少なくとも１つのヒートシール可能な内面を有する、１つ又は複数の可撓性フィルムを使用することができる。好ましくは、目的とする膨張特性及び起立特性を得るために、より柔軟であるか又は可撓性のある、たとえばより厚いフィルムを、側壁にではなく上壁及び底壁に用いる。さらに、ヒートシール可能な内面層を含む多層フィルムを用いるのが好ましい。バッグを製造するために、たとえば積層ＣＯＥＸ  ＯＰＰ／ＰＥＴＰ（ポリエステル）を用いてもよく、この場合、完成したか又は予め作製されたバックに関してＰＥ層が内側にあり、ＣＯＥＸ  ＯＰＰは、ＰＰ及びＰＥの共重合体を含む薄いシール媒質層を片面に有する共押出延伸ポリプロピレンフィルムを示す。バリア特性を向上させるために、バリア層、たとえば金属で被覆した層又はアルミニウムフィルムを、ＰＥＴＰ層及びＰＥ層間、又はＣＯＥＸ  ＯＰＰフィルム及びＰＥＴＰ層間に設けてもよい。
【０２２１】
さらに、ＰＥＴＰ層の代わりに、延伸ポリアミド（ＯＰＡ）を用いてもよい。
【図面の簡単な説明】
【０２２２】
【図１ａ】
2009520647.tif 000003
【図１ｂ】
2009520647.tif 000004
【図１ｃ】
2009520647.tif 000005
【図１ｄ】
2009520647.tif 000006
【図１ｅ】
2009520647.tif 000007
【図１ｆ】
2009520647.tif 000008
【図２ａ】
2009520647.tif 000009
【図２ｂ】
2009520647.tif 000010
【図２ｃ】
2009520647.tif 000011
【図２ｄ】
2009520647.tif 000012
【図２ｅ】
2009520647.tif 000013
【図２ｆ】
2009520647.tif 000014
【図３ａ】
2009520647.tif 000015
【図３ｂ】
2009520647.tif 000016
【図３ｃ】
2009520647.tif 000017
【図４ａ】
2009520647.tif 000018
【図４ｂ】
2009520647.tif 000019
【図４ｃ】
2009520647.tif 000020
【図４ｄ】
2009520647.tif 000021
【図４ｅ】
2009520647.tif 000022
【図４ｆ】
2009520647.tif 000023
【図５ａ】
2009520647.tif 000024
【図５ｂ】
2009520647.tif 000025
【図５ｃ】
2009520647.tif 000026
【図６ａ】
2009520647.tif 000027
【図６ｂ】
2009520647.tif 000028
【図７ａ】
2009520647.tif 000029
【図７ｂ】
2009520647.tif 000030
【図８ａ】
2009520647.tif 000031
【図８ｂ】
2009520647.tif 000032
【図９ａ】
2009520647.tif 000033
【図９ｂ】
2009520647.tif 000034
【図９ｃ】
2009520647.tif 000035
【図９ｄ】
2009520647.tif 000036
【図９ｅ】
2009520647.tif 000037
【図９ｆ】
2009520647.tif 000038
【図９ｇ】
2009520647.tif 000039
【図９ｈ】
2009520647.tif 000040
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
可撓性フィルム材料（１３、１３０）によって少なくとも部分的に形成される廃棄処理可能な飲料缶（１０、２０、３０、４０、５０）であって、
該缶（１０、２０、３０、４０、５０）は、上面（１６、２６、３６、４６、５６）を有し、且つ該上面に形成されるプルタブオープナー（１１、２１、３１、４１、５１）を備える注出機構（１０１）を備える、廃棄処理可能な飲料缶。
【請求項２】
前記缶構造体は、上端（１６）、底面（１９）、及び容器壁（１３、１３０）によって画定される容器容積部（１３１）を有し、前記上端（１６）は可撓性フィルム材料によって形成される、請求項１に記載の廃棄処理可能な飲料缶。
【請求項３】
前記上面は別個のフィルム／シート材料から形成される、請求項１又は２に記載の廃棄処理可能な飲料缶。
【請求項４】
前記上面は、前記缶を画定するフィルム材料の折曲部から形成される、請求項１〜３のいずれか１項に記載の廃棄処理可能な飲料缶。
【請求項５】
前記上面（１６、２６、３６、４６、５６）は、前記缶が液体で充填されると概ね円形面となる、請求項１〜４のいずれか１項に記載の廃棄処理可能な飲料缶。
【請求項６】
前記上面（１６、２６、３６、４６、５６）は、前記缶が液体で充填されると概ね矩形面となる、請求項１〜５のいずれか１項に記載の廃棄処理可能な飲料缶。
【請求項７】
前記缶は、自立機構を備える底端部を有する、請求項１〜６のいずれか１項に記載の廃棄処理可能な飲料缶。
【請求項８】
前記プルタブオープナー（１１、２１、３１、４１、５１）はフィルム材料から形成される、請求項１〜７のいずれか１項に記載の廃棄処理可能な飲料缶。
【請求項９】
前記プルタブオープナー（１１、２１、３１、４１、５１）はつまみを備える、請求項１〜８のいずれか１項に記載の廃棄処理可能な飲料缶。
【請求項１０】
前記プルタブオープナー（１１、２１、３１、４１、５１）は、フィンガ開口を有するつまみを備える、請求項１〜９のいずれか１項に記載の廃棄処理可能な飲料缶。
【請求項１１】
前記プルタブオープナーは、剥離可能なシールによって前記缶の前記上面に固定されるオーバーレイシート（２００１、５００１）に形成される、請求項１〜１０のいずれか１項に記載の廃棄処理可能な飲料缶。
【請求項１２】
前記プルタブオープナーは、オーバーレイシート（２００１、５００１）に形成され、上部オーバーレイシートの少なくとも半分の面積にわたる剥離可能なシールによって前記缶の前記上面に固定される、請求項１〜１１のいずれか１項に記載の廃棄処理可能な飲料缶。
【請求項１３】
前記内部容積部（３３１、４３１）はバリア機構（３１０、４１０）を備える、請求項１〜１２のいずれか１項に記載の廃棄処理可能な飲料缶。
【請求項１４】
前記缶（１０、２０、３０、４０、５０）は、少なくとも１つの穿孔シート材料（４５）を含むバリア機構を含む、請求項１〜１３のいずれか１項に記載の廃棄処理可能な飲料缶。
【請求項１５】
前記バリア機構はフィルタを含む、請求項１〜１４のいずれか１項に記載の廃棄処理可能な飲料缶。
【請求項１６】
前記バリア機構は、前記上面と前記側壁（複数可）とを接合する前記シールによって、前記缶の前記上端に接合される、請求項１〜１５のいずれか１項に記載の廃棄処理可能な飲料缶。
【請求項１７】
前記上面（１６、２６、３６、４６、５６）及び前記少なくとも１つの接合部は外側リザーバ（１０１）を形成する、請求項１〜１６のいずれか１項に記載の廃棄処理可能な飲料缶。
【請求項１８】
前記缶を画定するフィルム（１３０）の少なくとも一部が、前記上面（１６、２６、３６、４６、５６）上に延出し、飲み口縁（１２、５２）を形成するように延出する、請求項１〜１７のいずれか１項に記載の廃棄処理可能な飲料缶。
【請求項１９】
前記飲み口縁（１２、５２）は、該飲み口縁の横断方向に少なくとも１つの補強部（５９０）を含む、請求項１〜１８のいずれか１項に記載の廃棄処理可能な飲料缶。
【請求項２０】
前記缶は外側支持機構（６０１）を備える、請求項１〜１９のいずれか１項に記載の廃棄処理可能な飲料缶。
【国際調査報告】
2009520647.tif 000041
2009520647.tif 000042
2009520647.tif 000043
2009520647.tif 000044
2009520647.tif 000045